(57)【要約】【課題】操作をパターン化し、簡易化した顔画像補正方法であって、顔画像補正のパラメータを重複して使用することができ操作時間を短縮することができる顔画像修正方法を提供する。【解決手段】補正処理を行う顔画像ファイルをロードするステップと、予め設定した五官領域座標値によって、該顔画像の五官の各領域をマーキングするステップと、画像として表示される皮膚の美化に関するパラメータを選択するステップと、選択した該パラメータを処理する顔画像に適用するステップと、該パラメータを適用して処理を行った顔画像を出力するステップとによって顔画像修正方法を構成する。【選択図】　図１
2004147288.tif 000002
【特許請求の範囲】
【請求項１】
顔画像の補正方法であって、少なくとも、
補正処理を行う顔画像ファイルをロードするステップと、
予め設定した五官領域座標値によって、該顔画像の五官の各領域をマーキングするステップと、
画像として表示される皮膚の美化に関するパラメータを選択するステップと、
選択した該パラメータを処理する顔画像に適用するステップと、
該パラメータを適用して処理を行った顔画像を出力するステップとを含むことを特徴とする顔画像の補正方法。
【請求項２】
前記顔画像の五官の各領域をマーキングするステップは、該パラメータを正確に適用するために、該パラメータを適用する前に予め行われる動作であることを特徴とする請求項１に記載の顔画像の補正方法。
【請求項３】
前記顔画像の五官の各領域をマーキングするステップは、該五官領域で、予め効率よく区分を行うことができない部分を調整する五官領域のマーキング微調整ステップを更に含むことを特徴とする請求項１に記載の顔画像の補正方法。
【請求項４】
前記皮膚の美化に関するパラメータは、複数の顔画像を補正した後のパラメータ値を得てなり、かつ予め設定されるパラメータであることを特徴とする請求項１に記載の顔画像の補正方法。
【請求項５】
前記皮膚の美化に関するパラメータは、複数の皮膚を美化するパラメータ値として選択し、適用することを特徴とする請求項１に記載の顔画像の補正方法。
【請求項６】
前記皮膚の美化に関するパラメータは、皮膚の局部を美化する複数のパラメータ値として選択し、適用することを特徴とする請求項１に記載の顔画像の補正方法。
【請求項７】
顔画像の補正方法であって、少なくとも、
補正処理を行う顔画像ファイルをロードするステップと、
予め設定した五官領域座標値によって、該顔画像の五官の各領域をマーキングするステップと、
画像として表示される顔画像の五官の比例を美化するパラメータを選択するステップと、
選択した該パラメータを処理する顔画像に適用するステップと、
該パラメータを適用して処理を行った顔画像を出力するステップとを含むことを特徴とする顔画像の補正方法。
【請求項８】
前記顔画像の五官の各領域をマーキングするステップは、該パラメータを正確に適用するために、該パラメータを適用する前に予め行われる動作であることを特徴とする請求項７に記載の顔画像の補正方法。
【請求項９】
前記顔画像の五官の各領域をマーキングするステップは、該五官領域で、予め効率よく区分を行うことができない部分を調整する五官領域のマーキング微調整ステップを更に含むことを特徴とする請求項７に記載の顔画像の補正方法。
【請求項１０】
前記五官の比例を美化するパラメータは、複数の顔画像を補正した後のパラメータ値を得てなり、かつ予め設定されるパラメータであることを特徴とする請求項７に記載の顔画像の補正方法。
【請求項１１】
前記五官の比例を美化するパラメータは、複数の五官の比例を美化するパラメータ値として選択し、適用することを特徴とする請求項７に記載の顔画像の補正方法。
【請求項１２】
前記五官の比例を美化するパラメータは、部分的に五官の比例を美化する複数のパラメータ値として選択し、適用することを特徴とする請求項７に記載の顔画像の補正方法。
【請求項１３】
顔画像の補正方法であって、少なくとも、
補正処理を行う顔画像ファイルをロードするステップと、
予め設定した五官領域座標値によって、該顔画像の五官の各領域をマーキングするステップと、
画像として表示される顔画像の顔の表情にかかるパラメータを選択するステップと、
選択した該パラメータを処理する顔画像に適用するステップと、
該パラメータを適用して処理を行った顔画像を出力するステップとを含むことを特徴とする顔画像の補正方法。
【請求項１４】
前記顔画像の五官の各領域をマーキングするステップは、該パラメータを正確に適用するために、該パラメータを適用する前に予め行われる動作であることを特徴とする請求項１３に記載の顔画像の補正方法。
【請求項１５】
前記顔画像の五官の各領域をマーキングするステップは、該五官領域で、予め効率よく区分を行うことができない部分を調整する五官領域のマーキング微調整ステップを更に含むことを特徴とする請求項１３に記載の顔画像の補正方法。
【請求項１６】
前記顔の表情にかかるパラメータは、複数の顔画像を補正した後のパラメータ値を得てなり、かつ予め設定されるパラメータであることを特徴とする請求項１３に記載の顔画像の補正方法。
【請求項１７】
前記顔の表情にかかるパラメータは、複数の顔の表情にかかるパラメータ値として選択し、適用することを特徴とする請求項１３に記載の顔画像の補正方法。
【請求項１８】
前記顔の表情にかかるパラメータは、顔の部分的表情を表わす複数のパラメータ値として選択し、適用することを特徴とする請求項１３に記載の顔画像の補正方法。
【請求項１９】
顔画像の補正方法であって、少なくとも、
補正処理を行う顔画像ファイルをロードするステップと、
予め設定した五官領域座標値によって、該顔画像の五官の各領域をマーキングするステップと、
顔画像補正パラメータ・データベース内に保存されたパラメータを選択するステップと、
選択した該パラメータを処理する顔画像に適用するステップと、
該パラメータを適用して処理を行った顔画像を出力するステップとを含むことを特徴とする顔画像の補正方法。
【請求項２０】
前記顔画像の五官の各領域をマーキングするステップは、該パラメータを正確に適用するために、該パラメータを適用する前に予め行われる動作であることを特徴とする請求項１９に記載の顔画像の補正方法。
【請求項２１】
前記顔画像の五官の各領域をマーキングするステップは、該五官領域で、予め効率よく区分を行うことができない部分を調整する五官領域のマーキング微調整ステップを更に含むことを特徴とする請求項１９に記載の顔画像の補正方法。
【請求項２２】
前記顔画像補正パラメータは、複数の顔画像を補正した後のパラメータ値を得てなり、かつ予め設定されるパラメータであることを特徴とする請求項１９に記載の顔画像の補正方法。
【請求項２３】
前記顔画像補正パラメータは、複数の顔画像補正パラメータ値として選択し、適用することを特徴とする請求項１９に記載の顔画像の補正方法。
【請求項２４】
前記顔画像補正パラメータは、顔画像を部分的に補正する複数のパラメータ値として選択し、適用することを特徴とする請求項１９に記載の顔画像の補正方法。
【請求項２５】
前記顔画像補正パラメータは、画像処理において提供されることを特徴とする請求項１９に記載の顔画像の補正方法。
【請求項２６】
前記顔画像補正パラメータは、幾何学的演算処理において提供されることを特徴とする請求項１９に記載の顔画像の補正方法。
【請求項２７】
前記顔画像補正パラメータは、画像処理と幾何学的演算処理において提供されることを特徴とする請求項１９に記載の顔画像の補正方法。
【発明の詳細な説明】
【０００１】
【発明の属する技術分野】
この発明は、顔画像の補正方法に関し、特に顔画像補正パラメータ・データベースから、直接パラメータを選択して顔画像を補正し、顔画像の品質を高める方法に関する。
【０００２】
【従来の技術】
「画像」は、広く普及した一種の実用的な産物ということができ、時には高価な芸術の分野における創作ともなる。また、「画像」は、言語による解釈を必要とすることなく、世界各国に共通して特定の意思を表示できるイメージとなることもある。画像は、例えばスチールカメラを利用して撮影することによっても得られる。実際に写真撮影の愛好家は世界各国に存在し、常に撮影が行われている。このように写真撮影などの方法で画像を得ることは、周囲の事物の記録に利用されることもあり、旅行の記念として写真撮影する場合もある。また、写真撮影を趣味として行う場合もあり、これを専門的に研修し、職業とする人もいる。ここから著名な写真家、もしくは時代を代表する芸術家が生まれ、画像はより広く、かつ派生的に利用分野が拡大している。
【０００３】
ディジタルカメラを利用した一般のディジタル画像は、撮影時、もしくは撮影後の編集作業において、画像の露出度、もしくは輪郭などを補正することができる。このため、ディジタルカメラによる撮影は、より多くの消費者に好まれ、ディジタルカメラ、及びその関連商品は、マーケットのシェアがますます高くなっている。よって、業界においても多くのメーカーが生産を手がけると共に、新しい技術の研究開発が盛んに行われている。その結果としてハードウェアとなるディジタルカメラにかかる撮影器材は、製造技術が常に更新され、より理想的な画像が撮影できるようになっている。また、ディジタル画像を補正するソフトウェアについても、技術者が画像の中の任意の物体を随時補正できるものが開発されているのみならず、写真をプリントアウトできるプリンターが開発されたことによって、一般の使用者でも画像の補正が容易に行えるソフトウェアの開発に力が注がれている。かかる状況下において、ディジタル画像関連商品は、マーケットにおいて競争がますます激しくなっている。業界ではこのような競争によって、一般の消費者でも容易に画像を補正できるソフトウェアの出現が促進されるものとみられている。
【０００４】
顔のディジタル画像における五官及び表情の補正は、一般に画像処理ソフトウェア（例えばＰｈｏｔｏｓｈｏｐ等）を用いて手作業で画像を補正する方法が行われている。即ち画像処理用の各種フィルタの変形効果を利用して顔の写真を逐一補正するものである。但し、係る方法は操作が複雑な画像処理ツールを必要とするため、画像処理の作業に熟知した者でなければ、それぞれの写真に対して同一の処理値を重複して使用し画像処理を行うことができない。この点が欠点である。
【０００５】
また、本来の写真と他の写真とに対して変形補間（Ｉｍａｇｅ　Ｍｏｒｐｈ）を行い、中間画面（例えばＭｏｒｐｈｅｕｓ　ｓｏｆｔｗａｒｅ等）を得る方法も採られている。但し、初期の素材として用いられる２枚の写真が同一人物で無い場合、変形の過程で処理を行えば行うほど画像が本来の写真と違ったものになる。この点が欠点である。
【０００６】
よって、従来の画像処理ソフトウェアにおける画像処理ツールの操作性を改善すると共に、画像処理の設定値を簡易な操作で重複して使用できる画像処理ツールの開発が望まれている。
【０００７】
【発明が解決しようとする課題】
この発明は、操作をパターン化し、簡易な操作で実行することができる顔画像補正方法を提供することを課題とする。
【０００８】
またこの発明は顔画像補正のパラメータを重複して使用することができ操作時間を短縮することができる顔画像修正方法を提供することを課題とする。
【０００９】
【課題を解決するための手段】
そこで本発明者は従来の技術に見られる欠点に鑑み鋭意研究を重ねた結果、補正処理を行う顔画像ファイルをロードするステップと、予め設定した五官領域座標値によって、該顔画像の五官の各領域をマーキングするステップと、画像として表示される皮膚の美化に関するパラメータを選択するステップと、選択した該パラメータを処理する顔画像に適用するステップと、該パラメータを適用して処理を行った顔画像を出力するステップとを含む顔画像の補正方法によって課題を解決できる点に着眼し、かかる知見に基づいて本発明を完成させた。
【００１０】
即ち、この発明は、イメージフィルタ技術や、局部変形技術及び顔面筋肉シミュレーション技術等を統合するものであって、フィルタ技術は、例えば顔画像のしみ、しわ、傷跡などを除去して膚の部分の画像品質を調整し、年齢より若い感じがする効果を有し、局部変形技術は、顔の輪郭や五官の比例を調整し変形させるものであり、顔面筋肉シミュレーション技術は、顔面の解剖構造と各筋肉の作用に基づき表情を調整し、表情を調整して画面の感覚を変化させる。この発明は、これらイメージ処理によって得たパラメータ値をデータベースに保存して顔画像補正修正パラメータ・データベースとして適用する。該顔画像補正パラメータ・データベースに保存されたパラメータ値は、イメージ処理や幾何学演算、もしくはこれらを組み合わせ、演算処理したパラメータ値であって、従来の技術のように画像処理を行う毎にそれぞれの顔画像を処理することなく、直接該データベースのパラメータ値を適用することができ、かかる画像の補正方法によって、課題を解決することができる。
【００１１】
以下、この発明について具体的に説明する。
請求項１に記載する顔画像の補正方法は、少なくとも、
補正処理を行う顔画像ファイルをロードするステップと、
予め設定した五官領域座標値によって、該顔画像の五官の各領域をマーキングするステップと、
画像として表示される皮膚の美化に関するパラメータを選択するステップと、
選択した該パラメータを処理する顔画像に適用するステップと、
該パラメータを適用して処理を行った顔画像を出力するステップとを含む。
【００１２】
請求項２に記載する顔画像の補正方法は、請求項１における顔画像の五官の各領域をマーキングするステップが、該パラメータを正確に適用するために、該パラメータを適用する前に予め行われる動作である。
【００１３】
請求項３に記載する顔画像の補正方法は、請求項１における顔画像の五官の各領域をマーキングするステップが、該五官領域で、予め効率よく区分を行うことができない部分を調整する五官領域のマーキング微調整ステップを更に含む。
【００１４】
請求項４に記載する顔画像の補正方法は、請求項１における皮膚に美化関するパラメータが、複数の顔画像を補正した後のパラメータ値を得てなり、かつ予め設定されるパラメータである。
【００１５】
請求項５に記載する顔画像の補正方法は、請求項１に記載する皮膚の美化に関するパラメータが、複数の皮膚を美化するパラメータ値として選択し、適用する。
【００１６】
請求項６に記載する顔画像の補正方法は、請求項１における皮膚の美化に関するパラメータが、皮膚の局部を美化する複数のパラメータ値として選択し、適用する。
【００１７】
請求項７に記載する顔画像の補正方法は、少なくとも、
補正処理を行う顔画像ファイルをロードするステップと、
予め設定した五官領域座標値によって、該顔画像の五官の各領域をマーキングするステップと、
画像として表示される顔画像の五官の比例を美化するパラメータを選択するステップと、
選択した該パラメータを処理する顔画像に適用するステップと、
該パラメータを適用して処理を行った顔画像を出力するステップとを含む。
【００１８】
請求項８に記載する顔画像の補正方法は、請求項７における顔画像の五官の各領域をマーキングするステップが、該パラメータを正確に適用するために、該パラメータを適用する前に予め行われる動作である。
【００１９】
請求項９に記載する顔画面の補正方法は、顔画像の五官の各領域をマーキングするステップが、該五官領域で、予め効率よく区分を行うことができない部分を調整する五官領域のマーキング微調整ステップを更に含む。
【００２０】
請求項１０に記載する顔画像の補正方法は、五官の比例を美化するパラメータが、複数の顔画像を補正した後のパラメータ値を得てなり、かつ予め設定されるパラメータである。
【００２１】
請求項１１に記載する顔画像の補正方法は、五官の比例を美化するパラメータが、複数の五官の比例を美化するパラメータ値として選択し、適用する。
【００２２】
請求項１２に記載する顔画像の補正方法は、前記五官の比例を美化するパラメータが、部分的に五官の比例を美化する複数のパラメータ値として選択し、適用する。
【００２３】
請求項１３に記載する顔画像の補正方法は、顔画像の補正方法であって、少なくとも、
補正処理を行う顔画像ファイルをロードするステップと、
予め設定した五官領域座標値によって、該顔画像の五官の各領域をマーキングするステップと、
画像として表示される顔画像の顔の表情にかかるパラメータを選択するステップと、
選択した該パラメータを処理する顔画像に適用するステップと、
該パラメータを適用して処理を行った顔画像を出力するステップとを含む。
【００２４】
請求項１４に記載する顔画像の補正方法は、前記顔画像の五官の各領域をマーキングするステップは、該パラメータを正確に適用するために、該パラメータを適用する前に予め行われる動作である。
【００２５】
請求項１５に記載する顔画像の補正方法は、顔画像の五官の各領域をマーキングするステップが、該五官領域で、予め効率よく区分を行うことができない部分を調整する五官領域のマーキング微調整ステップを更に含む。
【００２６】
請求項１６に記載する顔画像の補正方法は、顔の表情にかかるパラメータが、複数の顔画像を補正した後のパラメータ値を得てなり、かつ予め設定されるパラメータである。
【００２７】
請求項１７に記載する顔画像の補正方法は、顔の表情にかかるパラメータが、複数の顔の表情にかかるパラメータ値として選択し、適用する。
【００２８】
請求項１８に記載する顔画像の補正方法は、顔の表情にかかるパラメータは、顔の部分的表情を表わす複数のパラメータ値として選択し、適用する。
【００２９】
請求項１９に記載する顔画像の補正方法は、顔画像の補正方法であって、少なくとも、
補正処理を行う顔画像ファイルをロードするステップと、
予め設定した五官領域座標値によって、該顔画像の五官の各領域をマーキングするステップと、
顔画像補正パラメータ・データベース内に保存されたパラメータを選択するステップと、
選択した該パラメータを処理する顔画像に適用するステップと、
該パラメータを適用して処理を行った顔画像を出力するステップとを含む。
【００３０】
請求項２０に記載する顔画像の補正方法は、顔画像の五官の各領域をマーキングするステップが、該パラメータを正確に適用するために、該パラメータを適用する前に予め行われる動作である。
【００３１】
請求項２１に記載する顔画像の補正方法は、顔画像の五官の各領域をマーキングするステップが、該五官領域で、予め効率よく区分を行うことができない部分を調整する五官領域のマーキング微調整ステップを更に含む。
【００３２】
請求項２２に記載する顔画像の補正方法は、顔画像補正パラメータが、複数の顔画像を補正した後のパラメータ値を得てなり、かつ予め設定されるパラメータである。
【００３３】
請求項２３に記載する顔画像の補正方法は、顔画像補正パラメータが、複数の顔画像補正パラメータ値として選択し、適用する。
【００３４】
請求項２４に記載する顔画像の補正方法は、顔画像補正パラメータが、顔画像を部分的に補正する複数のパラメータ値として選択し、適用する。
【００３５】
請求項２５に記載する顔画像の補正方法は、顔画像補正パラメータが、画像処理において提供される。
【００３６】
請求項２６に記載する顔画像の補正方法は、顔画像補正パラメータが、幾何学的演算処理において提供される。
【００３７】
請求項２７に記載する顔画像の補正方法は、顔画像補正パラメータが、画像処理と幾何学的演算処理において提供される。
【００３８】
【発明の実施の形態】
この発明は顔画像補正パラメータ・データベースから、直接パラメータを選択して顔画像を補正し、顔画像の品質を高める方法を提供するものであって、顔画像の補正方法であって、少なくとも、補正処理を行う顔画像ファイルをロードするステップと、予め設定した五官領域座標値によって、該顔画像の五官の各領域をマーキングするステップと、画像として表示される皮膚の美化に関するパラメータを選択するステップと、選択した該パラメータを処理する顔画像に適用するステップと、該パラメータを適用して処理を行った顔画像を出力するステップとを含む。
かかる顔画像の補正方法について、具体的な実施例を挙げ、以下に説明する。
【００３９】
【実施例】
図１に、この発明による顔画像補正方法のステップを開示する。図示の通りこの発明は顔画像補正パラメータ値を選択して画像補正に直接適用し、顔画像の補正を行う。即ち、従来の画像処理技術をパターン化し、簡易な操作を提供するものである。
【００４０】
１０のステップにおいて、顔画像ファイルをロードする。
２０のステップにおいて、予め設定した五官領域座標値によってロードした顔画像における五官のそれぞれの領域をマーキングする。
３０のステップにおいて、顔画像補正パラメータ・データベース内のパラメータ値を選択する。
４０のステップにおいて、処理を行う顔画像に選択したパラメータ値を適用する。
５０のステップにおいて、該パラメータ値を適応して処理した画像を出力する。
【００４１】
前記顔画像における五官のそれぞれの領域をマーキングするステップは、パラメータ値を用いるために予め行われる動作であって、該パラメータ値を正確に適用することを目的とする。パラメータ値の適用とは、関連する画像処理と、幾何学的演算を実行することを指す。
【００４２】
顔画像における五官のそれぞれの領域をマーキングするステップは、五官領域のマーキングを微調整するステップを更に含み、該微調整は五官領域で、予め効率よく区分を行うことができない部分を調整するものである。該顔画像パラメータ値は、複数の顔画像を補正した後のパラメータから得てなり、予め設定されるパラメータ値である。また、該画像パラメータ値は複数の顔画像補正パラメータからなり、これらを選択して適用する。
【００４３】
該顔画像補正パラメータは、皮膚の滑らかさの表現、皮膚のしみ、傷、しわなどの消去などを含む皮膚の美化、五官の比例、五官のサイズ、及び顔の表情などに関するパラメータを含み、画像の処理を行う場合、使用者が顔画像補正パラメータ・データベースから、パラメータを選択して処理する画像に適用し、変形、もしくは補正を行い、補正後の画像を得る。即ち、この発明は顔画像補正パラメータ・データベースに保存された顔画像補正パラメータを直接処理する画像に適用するだけの簡易な操作で画像補正を行うことができ、画像補正技術に熟練した専業の技術者に委託する必要がない。また、補正処理を行うそれぞれの画像に対して、顔画像補正パラメータ・データベースから顔画像補正パラメータを選択して適用するだけの操作で画像処理を行うことができ、従来の顔画像補正処理ツールのように複雑な処理を必要としない。
【００４４】
図２、３はこの発明による顔画像補正方法のよる五官認識の説明図、及びそのグリッドラインの説明図である。即ち、写真をロードすると、システムは該顔画像に基づき、特徴を分析して五官の位置を算出し、五官の特徴を得る。更に該五官の特徴に基づき、適宜なグリッドライン構造を構成し、顔画像を五官に基づいた領域に分割して、五官を認識し顔画像の補正処理を行うために必要な情報として提供する。
【００４５】
図４、５はこの発明の実施例における補正前と、補正後の画像である。図面に開示するように画像処理を行う場合、フィルタ技術を応用して画像の中の局部的な皮膚の傷などを消去し、肌の色を調整する。かかる補正は当技術に熟練した専門の技術者が始めてなし得るものである。この発明においては五官の位置を認識した後、顔画像補正パラメータ・データベースに保存されたパラメータを適用し、局部においてフィルタを利用して行う画像補正処理と同等の効果が得られる。よって、顔画像の必要でない斑点、線などを消去することができ、五官が際立ち、かつはっきりとした顔画像が得られる。
【００４６】
以上をまとめるとこの方法は顔画像の補正処理方法を提供するものであって、特に顔画像を美化するための補正方法であり、顔画像補正パラメータ・データベースに保存されたパラメータを直接顔画像に適用し、顔画像の品質を高める効果を達成する。
【００４７】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲の範囲に属するものとする。
【００４８】
【発明の効果】
この発明は、操作をパターン化し、簡易な操作で実行することができる顔画像補正方法を提供する。また、顔画像補正のパラメーターを重複して使用することができ操作時間を短縮することができる。
【図面の簡単な説明】
【図１】この発明による顔画像補正方法のステップを表わすフローチャートである。
【図２】図１に開示する画像修正方法における五官認識のスッテプにかかる説明図である。
【図３】図１に開示する画像修正方法における五官認識のスッテプにかかるグリッド線の説明図である。
【図４】この発明による顔画像補正方法を実施する前の画像の例を表わす写真である。
【図５】この発明による顔画像補正方法を実施した後の画像の例を表わす写真である。
【図１】
2004147288.tif 000003
【図２】
2004147288.tif 000004
【図３】
2004147288.tif 000005
【図４】
2004147288.tif 000006
【図５】
2004147288.tif 000007